(57)【要約】【課題】表示される画面上の電子番組表の一覧性は保ったままで、視聴者の興味のある番組に対してだけ詳細情報を付加して印刷することを可能とする。【解決手段】複数の情報から構成される電子番組表の主データと、前記複数の情報の各々に関連付けられる複数の副データとを取得する取得手段１０１と、取得した主データおよび副データを表示する表示手段１０２と、視聴者が表示手段１０２により表示された主データ或いは副データに対して操作を行うための操作手段１１０と、表示された主データ或いは副データを視聴している際の視聴者の操作履歴を記憶する記憶手段１０３と、主データに記憶手段１０３で記憶された操作履歴に応じた副データを合成するデータ合成手段１０５と、合成されたデータを印刷する印刷手段１０６と、を具備する。【選択図】図１
2010220101.tif 000002
【特許請求の範囲】
【請求項１】
複数の情報から構成される主データと、前記複数の情報の各々に関連付けられる複数の副データとを取得する取得手段と、
前記取得した主データおよび副データを表示する表示手段と、
視聴者が前記表示手段により表示された主データ或いは副データに対して操作を行うための操作手段と、
前記表示された主データ或いは副データを視聴している際の視聴者の操作履歴を記憶する記憶手段と、
前記主データに前記記憶手段で記憶された操作履歴に応じた副データを合成するデータ合成手段と、
前記合成されたデータを印刷する印刷手段と、を具備することを特徴とする印刷システム。
【請求項２】
前記副データは、視聴者が前記主データに対して前記操作手段により所定の操作を行った際に、視聴者の操作に応じて表示されることを特徴とする請求項１に記載の印刷システム。
【請求項３】
前記視聴者の各操作履歴が前記記憶手段により保持されている時間を計測する保持時間計測手段と、
前記保持時間計測手段により計測された各操作履歴の保持時間が、所定の期間を経過した際に、操作履歴を消去する履歴情報消去手段と、をさらに具備することを特徴とする請求項１又は２に記載の印刷システム。
【請求項４】
視聴者の所定の操作に応じて、前記操作履歴を保持しておくための前記所定の時間を設定する保持時間設定手段をさらに具備することを特徴とする請求項３に記載の印刷システム。
【請求項５】
前記視聴者の操作により得られた副データが、前記表示手段により表示されている時間を計測する情報表示時間計測手段と、
前記情報表示時間計測手段により計測された副データの表示時間が、所定の時間を経過したか否かを判定し、所定の時間を経過した場合にのみ、主データの印刷の際に副データを合成したデータを出力させるようにする情報付加可否判定手段と、をさらに具備することを特徴とする請求項１又は２に記載の印刷システム。
【請求項６】
視聴者の所定の操作に応じて、前記情報付加可否判定手段で情報の付加可否を決定するための前記所定の時間を設定するプリセット時間設定手段をさらに具備することを特徴とする請求項５に記載の印刷システム。
【請求項７】
前記操作を行っている視聴者を識別する視聴者識別手段をさらに具備し、
前記視聴者識別手段により識別された視聴者ごとに前記操作履歴を管理することで視聴者ごとに操作履歴に応じた副データを合成して印刷を行うことが可能であることを特徴とする請求項１又は２に記載の印刷システム。
【発明の詳細な説明】
【技術分野】
【０００１】
本発明は、電子データ情報に対して、視聴者の所望する情報を付加して印刷する印刷システムに関する。
【背景技術】
【０００２】
近年、衛星／地上波デジタル放送の普及が進んできて、アナログ放送では成し得なかった視聴者との双方向通信や、高付加価値情報の提供を可能になっている。また、テレビ番組の番組表に関しても従来のような新聞や雑誌のテレビ欄等に代わり、放送波やインターネットを介して提供されるＥＰＧ（電子番組表）を用いて、視聴／録画計画の確認や管理を行えるようになってきた。さらには、画面上でただ見るだけでなく電子番組表を印刷するというユーザも増加してきている。
【０００３】
しかしながら、近年の多チャンネル化や番組・コンテンツの急激な増加に伴い、電子番組表内に含まれる情報量も増大してきている。その結果、電子番組表を一覧で表示しようとすると表示スペースの関係上、タイトルや番組の内容といった番組ごとの情報の一部が途中で省略されてしまい、表示される情報量が非常に乏しくなってしまうという問題点があった。
【０００４】
この問題点を回避するために、視聴者が興味があって注目したい番組を選択すると、欄外やあるいは別個のウィンドウで該番組の詳細情報を表示するといった手法が一般的に用いられている。
【０００５】
また、例えば特許文献１(特開平１１−１５５１１０号公報)に開示された方法では、番組の詳細な情報に関しては、視聴者が興味があって注目したい番組をマウスでクリックすることで該番組の表示スペースを広げて詳細情報を表示する方法が開示されている。
【０００６】
さらに、特許文献２(特開２００６−２０３５３５号公報)では、視聴者の注目したい番組のチャンネルおよび時間だけを他のチャンネルおよび時間の枠と比べて間隔を広げることで注目番組の表示スペースを大きくして詳細情報を表示する方法が開示されている。
【先行技術文献】
【特許文献】
【０００７】
【特許文献１】特開平１１−１５５１１０号公報
【特許文献２】特開２００６−２０３５３５号公報
【発明の概要】
【発明が解決しようとする課題】
【０００８】
しかしながら、電子番組表を一覧表示された状態で、かつ視聴者が興味を持って詳細情報を画面上で確認した番組に関してはその詳細情報も含めて印刷したい場合において、上記従来技術では以下に示す問題が解決されていない。
【０００９】
欄外あるいは別個のウィンドウで番組の詳細情報を表示する方法は、電子番組表とは別の部分に該番組の詳細情報が表示されるため、画面の表示上では番組表の一覧画面と各番組の詳細情報とを簡易な操作で切り替えて確認できる。そのため、画面表示上の利便性は良いが、印刷したい場合には電子番組表とは別途詳細情報のみを印刷しなければならない。更に、詳細情報も含めて印刷したい番組が電子番組表内に複数個存在する場合には、それらをそれぞれ別途印刷しなければならないため、非常に煩雑である。
【００１０】
また、特許文献１で示す方法では、電子番組表内の該番組の表示領域内に詳細情報が表示されるため、電子番組表と詳細情報とを別途に印刷する必要は生じない。しかし、クリックした１つの番組に対してしか詳細情報は表示されないため、複数個の番組に対して詳細情報も印刷したい場合には、やはりそれぞれ別途印刷しなければならない問題は解決されない。
【００１１】
また、特許文献２で示す方法では、視聴者が予め指定した注目番組の表示領域を拡大して表示するので、複数個の番組に対して詳細情報も印刷したい場合においても、詳細情報を含んだ状態で一覧表示された電子番組表を一度に印刷することが可能である。しかし、この方法では、予め視聴者自身が注目する番組を指定しておかなければならないため、これまで注目していなかった番組や、特番といった電子番組表を見て初めて知ったような番組の詳細情報を確認することができず、現実的でない。また、予め指定した番組の詳細情報は常に画面上に表示されてしまうため、画面上に表示される情報量が多くなってしまい、電子番組表としての一覧性が損なわれてしまい、操作を行う視聴者にとって視認性が低下してしまうといった問題が生じている。
【００１２】
本発明はかかる問題点に鑑みなされたものであり、表示される画面上の電子番組表の一覧性は保ったままで、視聴者の興味のある番組に対してだけ詳細情報を付加して印刷することを可能とする印刷システムを提供することを目的とする。
【課題を解決するための手段】
【００１３】
本発明の印刷システムは、複数の情報から構成される主データと、前記複数の情報の各々に関連付けられる複数の副データとを取得する取得手段と、前記取得した主データおよび副データを表示する表示手段と、視聴者が前記表示手段により表示された主データ或いは副データに対して操作を行うための操作手段と、前記表示された主データ或いは副データを視聴している際の視聴者の操作履歴を記憶する記憶手段と、前記主データに前記記憶手段で記憶された操作履歴に応じた副データを合成するデータ合成手段と、前記合成されたデータを印刷する印刷手段と、を具備することを特徴とする。
【発明の効果】
【００１４】
本発明によれば、番組表の一覧性を保ったまま、視聴者の興味のある番組に対してだけ、より詳細な情報を付加して印刷することができ、印刷資源の効率化および視聴者の使い勝手の向上が得られる。
【図面の簡単な説明】
【００１５】
【図１】第１の実施形態を示すシステム構成図である。
【図２】第１の実施形態における、視聴者が電子番組表を表示してから印刷する際のフローチャートである。
【図３】取得した電子番組表の一例を示すイメージ図である。
【図４】視聴者が特定の番組を指定した場合の画面表示の一例を示すイメージ図である。
【図５】詳細情報を付加した形で合成された電子番組表の一例を示すイメージ図である。
【図６】第２の実施形態を示すシステム構成図である。
【図７】操作履歴が記憶されてから、削除されるまでのフローチャートである。
【図８】第３の実施形態を示すシステム構成図である。
【図９】第３の実施形態における、視聴者が電子番組表を表示してから印刷する際のフローチャートである。
【図１０】第４の実施形態を示すシステム構成図である。
【図１１】視聴者ごとに管理された記憶手段の構成図である。
【発明を実施するための形態】
【００１６】
＜第１の実施の形態＞
本発明を好適に実施する第１の形態を図１〜図５を用いて説明する。第１の実施形態では、デジタルテレビを視聴している視聴者が、電子番組表(EPG)を表示し、視聴者が興味を持った１つ或いは複数の番組に対してリモコン等で操作を行う。その後、該番組の詳細情報をそれぞれ表示した後に、電子番組表を印刷する場合を考えるものとする。
【００１７】
図１は本発明である印刷システムの第１の実施形態を示すシステム構成図である。表示装置であるデジタルＴＶ１００は、取得手段１０１、表示手段１０２、記憶手段１０３、操作情報受信手段１０４、データ合成手段１０５、印刷要求手段１０６で構成される。
【００１８】
取得手段１０１では、アンテナを通じて送信される番組情報や電子番組表といった電子データ情報（本実施例の主データ）を必要に応じて取得し、その取得した電子データ情報を表示手段１０２により表示する。表示手段１０２は視聴者がリモコンを用いて操作を行った際に、所定のユーザインタフェースを表示することも可能である。
【００１９】
視聴者がリモコンを用いて行った操作情報（本実施例の副データ）は、操作情報受信手段１０４により受信され、その受信された操作情報は、記憶手段１０３により、視聴者の操作履歴として記憶される。この操作情報は前記電子データ情報に関連付けられる。
【００２０】
データ合成手段１０５は、視聴者から電子データ情報の印刷要求が受信された際に記憶手段１０３に記憶された視聴者の操作履歴に基づいて、元の電子データ情報に対して視聴者の操作により得られた情報を付加した電子データ情報を合成する。合成された電子データ情報は、印刷要求手段１０６によって印刷装置であるプリンタに印刷要求と共に送信される。
【００２１】
印刷装置であるプリンタ１２０は、印刷要求受信手段１２１及び印刷手段１２２から構成される。
【００２２】
印刷要求受信手段１２１は、デジタルＴＶ１００の印刷要求手段１０６から印刷要求およびその印刷内容を受信し、印刷手段１２２により、印刷を行う。
【００２３】
表示情報制御装置であるリモコン１１０は、操作手段１１１および操作情報送信手段１１２から構成される。
【００２４】
操作手段１１１では、視聴者によるリモコンのボタン操作による各種操作情報を受け付け、その操作情報を操作情報送信手段１１２によりデジタルＴＶ１００に送信する。リモコンの詳細は割愛するが、電子データ情報等を操作可能な一般的なリモコンとして十字キーや決定ボタン等を備えているものとする。
【００２５】
次に本実施形態で視聴者が電子番組表を表示してから印刷を行うまでの流れを図２のフローチャートと共に説明する。
【００２６】
視聴者がデジタルＴＶ１００のリモコンのボタン操作により電子番組表の表示操作を行うと、デジタルＴＶ１００は取得手段１０１により電子番組表を取得し、表示手段１０２上に表示する（Ｓ２０１）。
【００２７】
取得した電子番組表の一例を図３に示す。図３に示す電子番組表３００は、縦軸に時間帯３０１、横軸にチャンネル（放送局）３０２を配列した２次元のマトリクス表であり、各時間帯および各チャンネルの交差するセル（枠）内３０３に放送される番組の情報が表示される構成となっている。ここで、表示手段１０２の画面サイズや解像度の関係、および表示するチャンネル数が非常に増大しているといった事情により、電子番組表３００の各セル内３０３の各番組の情報は簡略化され、更にはセル内に入りきれない情報は省略されて表示されている。
【００２８】
そして視聴者が電子番組表内のある特定の番組を選択し、決定ボタン等をクリックすることでその番組を指定すると（Ｓ２０３）、デジタルＴＶ１００は選択された番組の詳細情報を電子番組表３００とは別の画面で表示する（Ｓ２０４）。
【００２９】
図４に視聴者が特定の番組を指定した場合の画面表示の一例を示す。図４では、視聴者が特定の番組を指定した際に、その番組の放送局・放送時間帯・タイトル・内容・出演者といった詳細な情報が省略されることなく全て別画面４０１上にポップアップされて表示されている。
【００３０】
また、視聴者のリモコン操作により表示画面上に特定の番組の詳細情報を表示させた場合には、同時にその視聴者の操作情報を履歴として記憶手段１０３に記憶する（Ｓ２０４）。
【００３１】
その後、視聴者がリモコンの「戻る」ボタン等を操作することにより（Ｓ２０５）、図４で示したような詳細情報表示画面から、図３で示したような元の電子番組表３００の表示画面へと復帰する（Ｓ２０６）。
【００３２】
Ｓ２０３〜Ｓ２０６で示す操作を1回または複数回行った後で、視聴者が電子番組表の印刷を行おうとすると（Ｓ２０２）、デジタルＴＶ１００は記憶手段１０３に操作履歴情報が1つ以上記憶されているかどうかを確認する（Ｓ２０７）。その結果、操作履歴が存在する場合には、その履歴情報に応じて視聴者が別途表示した番組の詳細情報を取得し、元の電子番組表３００にその１つ以上の詳細情報を夫々付加した電子番組表をデータ合成手段１０５により合成する（Ｓ２０８）。その後、デジタルＴＶ１００は、その合成された電子番組表を印刷出力する（Ｓ２０９）。
【００３３】
図５に詳細情報を付加した形で合成されて出力された電子番組表の一例を示す。合成された電子番組表５００では、視聴者が別途詳細情報を表示した番組５０１に関しては、その詳細情報も元の電子番組表内に含める。これにより、電子番組表の一覧性をできる限り保ったままで、視聴者の興味のある番組のみ詳細な情報も付加した電子番組表を合成することができる。
【００３４】
なお、Ｓ２０７にて視聴者が詳細情報を表示した履歴がない場合には、そのまま電子番組表３００を印刷出力する。
【００３５】
このように本実施形態では操作履歴に応じた情報を付加した電子番組表を合成した上で印刷を行うことにより、電子番組表を印刷する場合でも番組表の一覧性をできる限り保ったままで視聴者の所望の番組の詳細情報を表示した番組表を印刷することが可能となる。
【００３６】
＜第２の実施の形態＞
次に、視聴者の操作履歴情報を記憶しておく時間を視聴者が予め設定しておき、所定の期間経過した操作履歴情報を削除する場合を第２の実施形態として図６、図７を用いて説明する。
【００３７】
図６に第２の実施形態のシステム構成図を示す。本実施形態では、表示装置であるデジタルＴＶ６００は、図１で示した第１の実施形態のシステム構成図の構成要件に加えて、保持時間設定手段６０１、保持時間計測手段６０２、履歴情報消去手段６０３で構成される。その他のものの機能は第１の実施形態と同様である。
【００３８】
保持時間設定手段６０１は、視聴者のリモコン操作による操作履歴を記憶手段１０３内に保持しておく時間を設定しておくデータベースである。保持時間計測手段６０２では、視聴者がリモコン操作を行った際の、各操作履歴が記憶手段１０３内に記憶されている時間を計測する。
【００３９】
履歴情報消去手段６０３では、保持時間計測手段６０２によって計測された視聴者が操作した各操作履歴情報の保持時間が保持時間設定手段６０１によって設定された所定の時間を超過しているか否かを判断する。そして、設定された時間を超過して保持された操作履歴情報を記憶手段１０３内から削除する。
【００４０】
視聴者が行った操作履歴が記憶手段１０３に記憶されてから、削除されるまでの流れを図7に示すフローチャートで説明する。
【００４１】
図２に示すフローチャートにおいて、視聴者がリモコン操作により特定の番組を選択し、詳細情報を表示すると共にその操作情報が履歴として記憶手段１０３内に記憶されると(Ｓ２０４)、図７に示す履歴の保持時間を計測する処理が起動される。
【００４２】
操作履歴が記憶手段１０３内に記憶されたことが検出されると（Ｓ７０１）、保持時間計測手段６０２は履歴が保持されている時間の計測を開始する（Ｓ７０２）。そして操作履歴の保持された時間が保持時間設定手段６０１に設定された所定の時間を超過した場合に、履歴情報消去手段６０３がその操作履歴を記憶手段１０３内から削除する（Ｓ７０４）。
【００４３】
このように本実施形態では、視聴者の操作履歴情報の保持期限を設定することにより、余分な情報まで電子番組表に付加されないようにし、視聴者にとって本当に必要な情報のみを付加した電子番組表を印刷することが可能となる。
【００４４】
＜第３の実施の形態＞
次に、視聴者が詳細情報を表示したポップアップ画面を開いた時間に応じて印刷時の付加の可否を決める場合を第３の実施形態として図８、図９を用いて説明する。図８に第３の実施形態のシステム構成図を示す。
【００４５】
本実施形態では、表示装置であるデジタルＴＶ８００は、図１で示した第１の実施形態のシステム構成図の構成要件に加えて、プリセット時間設定手段８０１、情報表示時間計測手段８０２、情報付加可否判定手段８０３で構成される。
【００４６】
プリセット時間設定手段８０１は、視聴者が特定の番組の詳細情報の表示画面を所定の時間以上表示していた場合にのみ記憶手段１０３に操作履歴として記憶させるようにするための閾値とする時間を設定しておくデータベースである。
【００４７】
情報表示時間計測手段８０２では、視聴者が特定の番組の詳細情報の表示画面を表示した時間を計測する。情報付加可否判定手段８０３では、情報表示時間計測手段８０２によって計測された視聴者が表示した各詳細情報の表示時間が、プリセット時間設定手段８０１によって設定された所定の時間を超過しているか否かを判断する。そして、設定された時間を超過して表示された場合にのみその操作情報を履歴として記憶する判断を行う。
【００４８】
図９に本実施形態におけるフローチャートを示す。図９に示すフローチャートでは、図２で説明した第１の実施形態におけるフローチャートと比較して、Ｓ９０５、Ｓ９０７、Ｓ９０８、及びＳ９０９が処理として追加される。
【００４９】
視聴者がリモコン操作により電子番組表を表示して（Ｓ９０１）、特定の番組を選択し（Ｓ９０３）、詳細情報を表示すると（Ｓ９０４）、情報表示時間計測手段８０２は詳細情報が表示手段１０２上に表示されている時間の計測を開始する（Ｓ９０５）。
【００５０】
そして視聴者が「戻る」ボタン等の操作を行うと（Ｓ９０６）、詳細情報が表示された時間が、プリセット時間設定手段８０１で設定された所定の時間を超過しているかどうかを情報付加可否判定手段８０３によって判断する（Ｓ９０７）。超過していた場合にはその操作履歴を記憶手段１０３内に記憶し、元の電子番組表の画面へと復帰する（Ｓ９０８）。もしも所定の時間を超過していなかった場合には、操作履歴を記憶せずにそのままもとの電子番組表の画面へと復帰する（Ｓ９０９）。
【００５１】
Ｓ９０３〜Ｓ９０９で示す操作を１回又は複数回行った後で、視聴者が電子番組表の印刷を行おうとすると（Ｓ９０２）、デジタルＴＶ８００は記憶手段１０３に操作履歴情報が１つ以上記憶されているかどうかを確認する（Ｓ９１０）。操作履歴が存在する場合には、その履歴情報に応じて視聴者が別途表示した番組の詳細情報を取得し、元の電子番組表３００にその１つ以上の詳細情報を夫々付加した電子番組表をデータ合成手段１０５により合成する（Ｓ９１１）。その後、その合成された電子番組表を印刷出力する（Ｓ９１２）。なお、Ｓ９１０にて視聴者が詳細情報を表示した履歴がない場合には、そのまま電子番組表３００を印刷出力する。
【００５２】
よって、本実施の形態では、例えば視聴者が不要な番組に対して詳細情報を確認した場合であっても、その情報が不要だと気付いてすぐに消せばその情報を電子番組表に付加されないようにすることが可能となる。従って、視聴者にとって本当に必要な情報のみを付加した電子番組表を印刷することが可能となる。
【００５３】
＜第４の実施の形態＞
次にデジタルＴＶを視聴し、リモコン操作を行っている視聴者ごとに最適な情報を付加した電子番組表を印刷する場合を第４の実施形態として図１０、図１１を用いて説明する。図１０に第４の実施形態のシステム構成図を示す。
【００５４】
本実施形態では、表示装置であるデジタルＴＶ１０００は、図１で示した第１の実施形態のシステム構成図の構成要件に加えて、視聴者識別手段１００１で構成される。
【００５５】
視聴者識別手段１００１は、電子番組表を視聴してリモコンによる操作を行っているのが誰であるかを識別する。
【００５６】
また、本実施形態の場合、記憶手段１００２は図１１に示すように視聴者識別手段１００１で識別された視聴者ごとに、視聴者１の操作履歴情報１１０１、視聴者２の操作履歴情報１１０２、視聴者３の操作履歴情報１１０３を記憶する。
【００５７】
視聴者を識別する手段としては、例えば、視聴者ごとに番組表を分けて管理できるデジタルＴＶであれば、その番組表に応じて視聴者を特定することができる。また、視聴者ごとに専用のリモコンを持たせることで視聴者の特定を行っても良い。
【００５８】
このように本実施形態では、リモコン操作を行っている視聴者を識別することにより、視聴者ごとに必要な番組の詳細情報のみを付加した電子番組表を最適に合成し、印刷することが可能となる。
【００５９】
なお、本発明は上記の実施形態に限定されず、この発明を逸脱しない範囲内において種種変形応用可能である。例えば、上記第１或いは第２の実施形態では、視聴者が詳細情報を表示した際の操作履歴を記憶して印刷する電子番組表にその情報を付加する例を示したが、視聴者による番組の録画予約の操作履歴を記憶する。電子番組表の印刷の際にハイライト表示させるようにしても良い事は、本発明の範疇にあることは勿論である。また、上記第１から第４の実施形態では、電子番組表を例に挙げて説明したが、例えば情報が階層化されているＷＥＢページの必要なデータを合わせて印刷するような場合であっても、本発明の範疇にあることは勿論である。
【符号の説明】
【００６０】
１００  デジタルＴＶ、１０１  取得手段、１０２  表示手段、１０３  記憶手段、１０４  操作情報受信手段、１０５  データ合成手段、１０６  印刷要求手段、１１０  表示情報制御装置、１１１  操作手段、１１２  操作情報送信手段、１２０  印刷装置、１２１  印刷要求受信手段、１２２  印刷手段、６００  デジタルＴＶ、６０１  保持時間設定手段、６０２  保持時間計測手段、６０３  履歴情報消去手段、８０１  プリセット時間設定手段、８０２  情報表示時間計測手段、８０３  情報付加可否判定手段、１０００  デジタルＴＶ、１００１  視聴者識別手段。
【図１】
2010220101.tif 000003
【図２】
2010220101.tif 000004
【図３】
2010220101.tif 000005
【図４】
2010220101.tif 000006
【図５】
2010220101.tif 000007
【図６】
2010220101.tif 000008
【図７】
2010220101.tif 000009
【図８】
2010220101.tif 000010
【図９】
2010220101.tif 000011
【図１０】
2010220101.tif 000012
【図１１】
2010220101.tif 000013